(57)【要約】      （修正有）【課題】ＯＦＤＭシステムにおける基準信号（ＲＳ）測定のためのＲＢＳおよびＵＥにおける方法および装置を提供する。【解決手段】ＲＢＳは、ＲＳ送信帯域幅をリトリーブし（７１０）、このＲＳ送信帯域幅に基づいてＲＳ測定帯域幅を決定し（７２０）、決定した帯域幅でＵＥに送信する（７３０）。ＵＥは、ＲＳ測定帯域幅で受信し、受信された測定帯域幅とＵＥの能力とに基づいて決定した帯域幅でＲＳを測定する。それらによって、システム帯域幅より狭い、構成可能なＲＳ送信帯域幅を有することが可能になる。これによって、ＲＳの干渉調整の改善が可能になり、それによって次には、例えば測位のような、多様なサービスについて用いられるＵＥ  ＲＳ測定が改善される。【選択図】図７ａ
2014060771.tif 000002
【特許請求の範囲】
【請求項１】
所定のシステム帯域幅でユーザ装置に送信を実行する無線基地局を備えたＯＦＤＭシステムにおいて基準信号（ＲＳ）を測定する方法であって、前記無線基地局によって実行されるステップとして、
前記システム帯域幅よりも狭い、セルについての基準信号（ＲＳ）送信帯域幅をリトリーブするステップと、
前記基準信号（ＲＳ）送信帯域幅に基づいて基準信号（ＲＳ）測定帯域幅を決定するステップと、
前記基準信号（ＲＳ）測定帯域幅が前記基準信号（ＲＳ）送信帯域幅よりも狭いときに、前記セルについての前記基準信号（ＲＳ）を前記ユーザ装置が測定できるようにするために、前記基準信号（ＲＳ）測定帯域幅で前記ユーザ装置に送信を実行するステップと
を有することを特徴とする方法。
【請求項２】
前記基準信号（ＲＳ）送信帯域幅は、前記無線基地局において固定的に設定されることを特徴とする請求項１に記載の方法。
【請求項３】
前記基準信号（ＲＳ）送信帯域幅は、前記無線基地局において第１のアルゴリズムに基づいて動的に設定されることを特徴とする請求項１に記載の方法。
【請求項４】
前記基準信号（ＲＳ）送信帯域幅は、隣接した無線基地局との協調に基づいて動的に決定されることを特徴とする請求項１に記載の方法。
【請求項５】
前記基準信号（ＲＳ）送信帯域幅は、前記無線基地局が接続している制御ネットワークノードからリトリーブすることを特徴とする請求項１に記載の方法。
【請求項６】
前記基準信号（ＲＳ）送信帯域幅は、前記システム帯域幅内での連続した部分であることを特徴とする請求項１ないし５のいずれか１項に記載の方法。
【請求項７】
前記基準信号（ＲＳ）測定帯域幅は、セル固有のものであることを特徴とする請求項１ないし６のいずれか１項に記載の方法。
【請求項８】
前記基準信号（ＲＳ）測定帯域幅は、ユーザ装置固有のものであることを特徴とする請求項１ないし６のいずれか１項に記載の方法。
【請求項９】
前記基準信号（ＲＳ）測定帯域幅で前記ユーザ装置に送信を実行するステップは、前記ユーザ装置に送信される補助データに前記基準信号（ＲＳ）測定帯域幅の情報を含めることによって実行されることを特徴とする請求項１ないし８のいずれか１項に記載の方法。
【請求項１０】
前記ユーザ装置が在圏している前記セルについての第１の低干渉帯域幅を介してサブフレームでのデータの送信を抑制するステップをさらに有し、
前記第１の低干渉帯域幅は、前記システム帯域幅よりも狭く、
前記基準信号（ＲＳ）測定帯域幅を決定するステップは、さらに、前記第１の低干渉帯域幅と、隣接したセルについての第２の低干渉帯域幅とに基づいて実行される
ことを特徴とする請求項１ないし９のいずれか１項に記載の方法。
【請求項１１】
前記第１の低干渉帯域幅と前記第２の低干渉帯域幅とは、前記無線基地局において固定的に設定されることを特徴とする請求項１０に記載の方法。
【請求項１２】
前記第１の低干渉帯域幅と前記第２の低干渉帯域幅とは、前記無線基地局において第２のアルゴリズムに基づいて動的に設定されることを特徴とする請求項１０に記載の方法。
【請求項１３】
前記第１の低干渉帯域幅と前記第２の低干渉帯域幅とは、隣接した無線基地局との協調に基づいて動的に設定されることを特徴とする請求項１０に記載の方法。
【請求項１４】
前記第１の低干渉帯域幅と前記第２の低干渉帯域幅とは、前記無線基地局が接続している制御ネットワークノードからリトリーブされることを特徴とする請求項１０に記載の方法。
【請求項１５】
前記第１の低干渉帯域幅と前記第２の低干渉帯域幅とは、前記システム帯域幅における連続した部分であることを特徴とする請求項１０ないし１４のいずれか１項に記載の方法。
【請求項１６】
前記基準信号（ＲＳ）測定帯域幅を決定するステップは、さらに、干渉の統計値に基づいて実行されることを特徴とする請求項１ないし１５のいずれか１項に記載の方法。
【請求項１７】
前記基準信号（ＲＳ）の測定値は、ＬＴＥシステムにおける測位に使用されることを特徴とする請求項１ないし１５のいずれか１項に記載の方法。
【請求項１８】
所定のシステム帯域幅でユーザ装置に送信を実行する無線基地局を備えたＯＦＤＭシステムにおいて基準信号（ＲＳ）を測定する方法であって、前記ユーザ装置によって実行されるステップとして、
前記システム帯域幅よりも狭い、セルについての基準信号（ＲＳ）測定帯域幅で受信するステップと、
前記基準信号（ＲＳ）測定帯域幅と前記ユーザ装置の能力とよって決定された帯域幅において前記セルについての前記基準信号（ＲＳ）を測定するステップと
を有することを特徴とする方法。
【請求項１９】
前記説の識別情報とともに前記セルについての前記基準信号（ＲＳ）測定帯域幅の情報を記憶するステップをさらに有することを特徴とする請求項１８に記載の方法。
【請求項２０】
前記基準信号（ＲＳ）の測定値は、ＬＴＥシステムにおける測位に使用されることを特徴とする請求項１８または１９に記載の方法。
【請求項２１】
ＯＦＤＭシステムにおいて所定のシステム帯域幅でユーザ装置に送信を実行する無線基地局であって、
前記システム帯域幅よりも狭い、セルについての基準信号（ＲＳ）送信帯域幅をリトリーブするリトリーブユニット、
前記基準信号（ＲＳ）送信帯域幅に基づいて基準信号（ＲＳ）測定帯域幅を決定する決定ユニットと、
前記基準信号（ＲＳ）測定帯域幅が前記基準信号（ＲＳ）送信帯域幅よりも狭いときに、前記セルについての前記基準信号（ＲＳ）を前記ユーザ装置が測定できるようにするために、前記基準信号（ＲＳ）測定帯域幅で前記ユーザ装置に送信を実行する送信機と
を有することを特徴とする無線基地局。
【請求項２２】
前記基準信号（ＲＳ）送信帯域幅は、前記無線基地局において固定的に設定されることを特徴とする請求項２１に記載の無線基地局。
【請求項２３】
前記基準信号（ＲＳ）送信帯域幅は、前記無線基地局において第１のアルゴリズムに基づいて動的に設定されることを特徴とする請求項２１に記載の無線基地局。
【請求項２４】
前記基準信号（ＲＳ）送信帯域幅は、隣接した無線基地局との協調に基づいて動的に決定されることを特徴とする請求項２１に記載の無線基地局。
【請求項２５】
前記リトリーブユニットは、前記無線基地局が接続している制御ネットワークノードから前記基準信号（ＲＳ）送信帯域幅の情報をリトリーブすることを特徴とする請求項２１に記載の無線基地局。
【請求項２６】
前記基準信号（ＲＳ）測定帯域幅は、セル固有のものであることを特徴とする請求項２１ないし２５のいずれか１項に記載の無線基地局。
【請求項２７】
前記基準信号（ＲＳ）測定帯域幅は、ユーザ装置固有のものであることを特徴とする請求項２１ないし２５のいずれか１項に記載の無線基地局。
【請求項２８】
前記基準信号（ＲＳ）送信帯域幅は、前記システム帯域幅内での連続した部分であることを特徴とする請求項２１ないし２７のいずれか１項に記載の無線基地局。
【請求項２９】
前記送信機は、前記ユーザ装置に送信される補助データに前記基準信号（ＲＳ）測定帯域幅の情報を含めることによって前記基準信号（ＲＳ）測定帯域幅で前記ユーザ装置に送信を実行することを特徴とする請求項２１ないし２８のいずれか１項に記載の無線基地局。
【請求項３０】
前記ユーザ装置が在圏している前記セルについての第１の低干渉帯域幅を介してサブフレームでのデータの送信を抑制するデータ抑制ユニットをさらに有し、
前記第１の低干渉帯域幅は、前記システム帯域幅よりも狭く、
前記決定ユニットは、さらに、前記第１の低干渉帯域幅と、隣接したセルについての第２の低干渉帯域幅とに基づいて前記基準信号（ＲＳ）測定帯域幅を決定する
ことを特徴とする請求項２１ないし２９のいずれか１項に記載の無線基地局。
【請求項３１】
前記第１の低干渉帯域幅と前記第２の低干渉帯域幅とは、前記無線基地局において固定的に設定されることを特徴とする請求項３０に記載の無線基地局。
【請求項３２】
前記第１の低干渉帯域幅と前記第２の低干渉帯域幅とは、前記無線基地局において第２のアルゴリズムに基づいて動的に設定されることを特徴とする請求項３０に記載の無線基地局。
【請求項３３】
前記第１の低干渉帯域幅と前記第２の低干渉帯域幅とは、隣接した無線基地局との協調に基づいて動的に設定されることを特徴とする請求項３０に記載の無線基地局。
【請求項３４】
前記リトリーブユニットは、前記第１の低干渉帯域幅と前記第２の低干渉帯域幅とを、前記無線基地局が接続している制御ネットワークノードからリトリーブすることを特徴とする請求項３０に記載の無線基地局。
【請求項３５】
前記第１の低干渉帯域幅と前記第２の低干渉帯域幅とは、前記システム帯域幅における連続した部分であることを特徴とする請求項３０ないし３４のいずれか１項に記載の無線基地局。
【請求項３６】
前記決定ユニットは、さらに、干渉の統計値に基づいて前記基準信号（ＲＳ）測定帯域幅を決定することを特徴とする請求項３０ないし３５のいずれか１項に記載の無線基地局。
【請求項３７】
前記基準信号（ＲＳ）の測定値は、ＬＴＥシステムにおける測位に使用されることを特徴とする請求項３０ないし３６のいずれか１項に記載の無線基地局。
【請求項３８】
ＯＦＤＭシステムにおけるユーザ装置であって、当該ＯＦＤＭシステムは、所定のシステム帯域幅でユーザ装置に送信を実行する無線基地局を備えており、
前記ユーザ装置は、
前記システム帯域幅よりも狭い、セルについての基準信号（ＲＳ）測定帯域幅で受信する受信機と、
前記基準信号（ＲＳ）測定帯域幅と前記ユーザ装置の能力とよって決定された帯域幅において前記セルについての前記基準信号（ＲＳ）を測定する測定ユニットと
を備えたことを特徴とするユーザ装置。
【請求項３９】
前記説の識別情報とともに前記セルについての前記基準信号（ＲＳ）測定帯域幅の情報を記憶する記憶ユニットをさらに備えたことを特徴とする請求項３８に記載のユーザ装置。
【請求項４０】
前記基準信号（ＲＳ）の測定値は、ＬＴＥシステムにおける測位に使用されることを特徴とする請求項３８または３９に記載のユーザ装置。
【発明の詳細な説明】
【技術分野】
【０００１】
本発明は、ＯＦＤＭシステムにおける基準信号測定に関し、詳細には、例えば測位に用いられる基準信号測定のための無線基地局およびユーザ装置ならびに方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ＧＳＭ（登録商標）を継承することを目的とした第３世代移動通信技術の１つである。３ＧＰＰ  ＬＴＥ（Ｌｏｎｇ  Ｔｅｒｍ  Ｅｖｏｌｕｔｉｏｎ）は、データレートの高速化、効率の改善、低コスト化といったサービス向上に関する将来の要件に対応するようにＵＭＴＳ標準を向上させるための、３ＧＰＰ（３ｒｄ  Ｇｅｎｅｒａｔｉｏｎ  Ｐａｒｔｎｅｒｓｈｉｐ  Ｐｒｏｊｅｃｔ）の中のプロジェクトである。ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＵＭＴＳシステムの無線アクセスネットワークであり、Ｅ−ＵＴＲＡＮ（ｅｖｏｌｖｅｄ  ＵＴＲＡＮ）は、ＬＴＥシステムの無線アクセスネットワークである。図１に示すように、Ｅ−ＵＴＲＡＮは、典型的には、一般にｅノードＢと呼ばれる無線基地局（ＲＢＳ）１００にワイヤレス接続されたユーザ装置（ＵＥ）１５０を含んでいる。ｅノードＢは、１つ以上のセル１１０と呼ばれるエリアにサービス提供する。
【０００３】
移動ユーザの位置の測位は、空間におけるＵＥの座標を判別するプロセスである。座標が利用可能になると、位置を特定の場所または位置にマッピングすることができる。マッピング機能と、要求に応じた位置情報の配信とは、基本的な緊急サービスに必要とされる位置情報サービスの一部である。位置の情報をさらに利用するサービスや、位置の情報に基づいて顧客に何らかの付加価値を提供するサービスは、それぞれ、位置照会サービスおよび位置情報提供サービスと呼ばれる。
【０００４】
ワイヤレス通信ネットワークには、精度、実装コスト、複雑性、多様な環境への応用性等が異なる、さまざまな測位技術が存在する。既存のネットワークにおいて最も一般的なのは、ＵＥの補助による解決策であり、この場合、在圏移動位置センタ１２０（ＧＳＭ（登録商標）およびＵＭＴＳではＳＭＬＣ、ＬＴＥではｅＳＭＬＣ（ｅｎｈａｎｃｅｄ  ＳＭＬＣ））が、ＵＥによって報告された測定値に基づいてＵＥの位置を計算する。ＳＭＬＣ／ｅＳＭＬＣは、（図１に示すように）別個のネットワーク要素であるか、あるいは、ＲＢＳに統合された機能性であるかのいずれかである。そのような方法のうちで、典型的には、Ａ−ＧＰＳ（Ａｓｓｉｓｔｅｄ  Ｇｌｏｂａｌ  Ｐｏｓｉｔｉｏｎｉｎｇ  Ｓｙｓｔｅｍ）が最高の精度を提供する。移動技術とＧＰＳとを組み合わせて、Ａ−ＧＰＳは、軌道やその他のデータをＵＥに提供することによって、ＵＥの受信機の感度を強化する。Ａ−ＧＰＳの欠点は、ＧＰＳ搭載のＵＥが必要であることと、一定の環境下、例えばトンネル、屋内、密集した都市エリアでは、機能しないことである。従って、測位のための補足的な方法が他にも必要である。これらの方法は、セルラーアンテナとＵＥとの間の信号の到着の時間差（ＴＤＯＡ：ｔｉｍｅ  ｄｉｆｆｅｒｅｎｃｅ  ｏｆ  ａｒｒｉｖａｌ）の測定値を用いる。ＵＭＴＳでは、ＴＤＯＡの測定値（ＯＴＤＯＡ：ｏｂｓｅｒｖｅｄ  ＴＤＯＡ）が用いられる。ＧＳＭ（登録商標）では、Ｅｎｈａｎｃｅｄ  Ｏｂｓｅｒｖｅｄ  Ｔｉｍｅ  Ｄｉｆｆｅｒｅｎｃｅ（Ｅ−ＯＴＤ）と呼ばれる変形が用いられる。
【０００５】
ＬＴＥベースの測位用として現在採用されている技術は、ＯＴＤＯＡである。ＯＴＤＯＡは、３つ以上の場所から受信された信号のＴＤＯＡを推定する、多次元測位に基づく技術である。測位を可能にするには、ＵＥは、少なくとも３つの地理的に分散したＲＢＳからの信号を検出できることが必要である。これは、信号が、十分に高い信号対干渉比（ＳＩＮＲ）を有する必要があることを意味する。さらに、信号は、サービス遅延要件を満たすのに十分な頻度で送信される必要がある。精度の要件を満たすためには、信号が、複数のサブフレーム上で蓄積される必要がありうる。
【０００６】
現時点でＬＴＥには、完全に標準化された測位方法がなく、従って、既存の基準解決策というものがない。ＬＴＥにおいて測位の測定を可能にするための直接的な解決策は、ＬＴＥのＲＢＳから常に送信されている標準化された信号、例えば同期信号（ＳＳ）またはセル固有の基準信号（ＲＳ）を測定することであろう。ＳＳおよびセル固有のＲＳ（ＣＲＳ）は、物理レイヤの機能性をサポートするのに用いられる物理的信号であり、それらは、ＭＡＣ（Ｍｅｄｉｕｍ  Ａｃｃｅｓｓ  Ｃｏｎｔｒｏｌ）レイヤからの情報はまったく搬送していない。どちらの信号も、所定のパターンに従って、すなわち、選択されたサブキャリアおよびタイムスロットで送信され、そのパターンは典型的には比較的まばらである。
【０００７】
ＬＴＥでは、ＳＳは下りリンクで送信され、そして、主としてセルサーチ手順において、すなわち、ＵＥがセルを識別して、ブロードキャストチャネル情報を読み取る目的で下りリンクにおいてそれに同期するために用いられる。図２ａに示すように、ＳＳは、無線フレーム２１０のサブフレーム０、２２０、およびサブフレーム５、２３０で送信される。１つのＳＳは、プライマリ同期信号（ＰＳＳ）２４０とセカンダリ同期信号（ＳＳＳ）２５０とで構成される。第１に、セルＩＤが、ＰＳＳから読み取られ、次いで、セルＩＤグループが、ＳＳＳから読み取られる。その後、セルＩＤを用いて、ＣＲＳシーケンスおよび時間・周波数グリッドの中でのその割り当てを判別することができる。図２ｂに、ＳＳが、割り当てられた帯域幅の中心に６２個のリソースエレメントを占有することを示す。
【０００８】
ＣＲＳは、システム帯域幅全体に亘って、かつ、すべてのサブフレームにおいて、すなわちＳＳより頻繁に、送信される。各タイムスロットが７個のＯＦＤＭシンボルを含むような通常のサイクリックプレフィックスを持つ通常のサブフレームでは、ＣＲＳが、図３ａに示すリソースエレメント（ＲＥ）上で送信される。図３ａは、時間における１つのサブフレーム３１１と周波数における１２個（物理リソースブロック（ＰＲＢ）に対応するサブキャリアの数）のサブキャリア３１２についての時間・周波数リソースグリッドであるＲＥ３１０を示す。図３ａは、送信アンテナが１本の場合のシステムにおいてＣＲＳのために用いられるＲＥ３１３を示す。そのようなシステムでは、最大６個の異なる周波数シフト（周波数再利用係数＝６）と５０４個の異なる信号とを、ＣＲＳのために用いることができる。送信アンテナが２本の場合、最大周波数再利用係数は、３まで減少するが、それを図３ｂおよび図３ｃに示す。図３ｂは、第１のアンテナポートについての時間・周波数リソースグリッドを示しており、この第１のアンテナポートについてのＣＲＳに用いられるＲＥ３１３（図３ａと同様）と、第２のアンテナポートについてのＣＲＳのために予約されたＲＥ３１４とを示す。図３ｃは、第２のアンテナポートについての時間・周波数リソースグリッドを示しており、図３ｂに示されている予約されたＲＥ３１４に対応する、この第２のアンテナポートのためのＣＲＳのために用いられるＲＥ３１５と、第１のアンテナポートについてのＣＲＳのために予約されたＲＥ３１６とを示す。送信アンテナが４本の場合、４つのアンテナポートのうちの第１のアンテナポートについての時間・周波数リソースグリッドを示す図３ｄに示すように、可能性は、さらに少なくなる。図３ｄには、この第１のアンテナポートについてのＣＲＳのために用いられるＲＥ３１７と、他の３つのアンテナポートについてのＣＲＳのために予約されたＲＥ３１８とを示す。その他のＣＲＳパターンは、拡張サイクリックプレフィックスを持つサブフレームについて、および、マルチキャスト・ブロードキャスト単一周波数ネットワーク（ＭＢＳＦＮ）サブフレームについて、定義される。
【０００９】
しかし、干渉の管理をしないまま測位のためにＳＳおよびＣＲＳを使用すると、ＳＩＮＲが低いこと、および／または、異なるＲＢＳからの強い信号の数が不十分であることに起因して、測位のカバレッジの問題が生じるだろうということがすでに示されている。この問題は、ＣＲＳまたはＳＳのために用いられるＲＥに関して複数のセルにおける並列伝送の確率が高く、それが高干渉につながるという理由で、同期ネットワークまたは高データ負荷を伴うネットワークについてとりわけ関係がある。加えて、ＳＳ送信の頻度は、測位の要件には不十分である。
【００１０】
測位の測定精度を改善し、受信可能性の問題に対処するため、３ＧＰＰでは、衝突確率の低下によって特徴付けられる送信パターンに従って設計されうる、測位ＲＳ（ＰＲＳ）を導入することが提案された。目下、ＰＲＳについての送信周期性が議論されている。一般に、ＰＲＳは、複数の連続するサブフレームの中で送信されてもされなくてもよく、周期性は、固定的にまたは半固定的に構成することができる。
【００１１】
ＰＲＢ毎のＰＲＳ送信パターンを所与として、周波数の範囲に関して、最も単純な解決策は、同じサブフレームのすべてのＰＲＢにおいて、すなわち帯域幅全体にわたって、同じパターンを繰り返すことであろう。広い帯域幅にわたってＰＲＳを送信すれば、一般に、測定の分解能が高くなり、かつ、好ましくない周波数選択性フェーディング条件に陥る確率が低下するため、測位の精度が向上する。欠点は、広い帯域幅が、ＵＥの複雑性を高めることである。加えて、より狭い帯域幅でも必要な精度を達成するのに十分であることがあり、その場合、帯域幅全体を用いることはリソースの浪費である。
【００１２】
システムが高負荷である場合、干渉調整なしに新たなＰＲＳを導入しても得るものはない。干渉を減らすための手法の１つは、ＰＤＳＣＨ送信が抑制されている低干渉サブフレーム（ＬＩＳ）の間にＰＲＳを送信することである。図４は、見込まれるＰＲＳパターンを持つ１つのセルについてのＬＩＳ４００の一例を示しており、この場合、データ送信は、セル４５０の送信帯域幅全体のすべてのＰＲＢ４４０において抑制されている。ＬＩＳ４００には、ＰＲＳ用のＲＥ４１０、制御シグナリング用のＲＥ４２０が存在するが、残りのＲＥは、データ送信４３０からは解放されている。干渉の削減をさらに高めるため、セル間でＬＩＳを整列させることができる。ＬＩＳの整列には、例えば、ＬＩＳの発生が固定的に構成されるか動的に設定されるかに応じて、セル間調整が必要であることもあれば、必要でないこともある。図５は、３つのセルのサイトとＰＲＳについて３つの周波数の再利用を行う同期ネットワークについて整列を行ったＬＩＳ５００の一例を示す。周波数の範囲では、セル毎に１つのＰＲＢだけを示す。現行のセル５２０においてＰＲＳのために用いられるＲＥを、別のセル５３０においてＰＲＳのために用いられるＲＥと一緒に、各セルの時間・周波数リソースグリッドの中に示す。同じ再利用グループの中のセル（例えばセル（１、１）とセル（２、１））は、ＰＲＳ５１０が衝突するであろう。
【００１３】
ＬＴＥネットワークでは、一部のサブフレームをＭＢＳＦＮサブフレームとして構成することができる。そのようなサブフレームは、モバイルＴＶのようなマルチキャスト送信／ブロードキャスト送信に利用されるのだが、サービスがサポートされていない時には当初は利用されないであろう。従って、これらのサブフレームも、その間ではＰＲＳの送信が可能な、低干渉サブフレームとみなしうるであろう。これは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）をサポートしないリリースにおいて実行可能な解決策であるにすぎず、従って、将来も確実な解決策ではない。
【００１４】
ＵＭＴＳ用に現在用いられていてＬＴＥ用にも検討されている、別の手法によれば、セルまたはサイトの中のアイドル期間の下りリンク（ＩＰＤＬ）と呼ばれる特別な期間（セルＩＰＤＬ）（サイトＩＰＤＬ）が、ＰＲＳ送信用に用いられてもよい。ＩＰＤＬの間は、送信が行われない。この手法は、ＵＭＴＳネットワークで用いられてきたものであり、無線技術の詳細に起因して、システム帯域幅全体についてのみ考慮されてきた。システム帯域幅全体にＩＰＤＬを用いると、システム帯域幅が大きいことを許容し、かつ、帯域幅のより小さな部分での送信が可能な技術のために、非効率なリソースの利用がもたらされる可能性がある。
【発明の概要】
【発明が解決しようとする課題】
【００１５】
本発明の目的は、上記の不利点の一部を未然に防ぎ、構成可能なＲＳ送信帯域幅と共にＲＳ測定を可能にするような方法および装置を実現することである。本発明は、ＲＳの干渉調整の改善と無線リソース利用の効率化とを可能にし、そのことが次にはＵＥのＲＳ測定を改善し、ひいては、例えば測位のような、ＲＳ測定を用いた多様なサービスをも可能にする。
【００１６】
本目的および他の目的が、添付の独立請求項による方法ならびに無線基地局およびユーザ装置によって、さらに、従属請求項による実施形態によって実現される。
【課題を解決するための手段】
【００１７】
本発明の第１の態様によって、ＯＦＤＭシステムにおける基準信号すなわちＲＳの測定のための方法が提供される。ここで、本システムは、予め定義されたシステム帯域幅上でユーザ装置に送信するように構成された無線基地局を備えている。本方法は、ＲＳ送信帯域幅がシステム帯域幅より狭くなっている場合に無線基地局によって行われる、セルについてのＲＳ送信帯域幅をリトリーブ（検索）するステップを含んでいる。また本方法は、ＲＳ測定帯域幅をＲＳ送信帯域幅に基づいて判別するステップと、ユーザ装置がセルのＲＳを測定することを目的として、ＲＳ測定帯域幅がＲＳ送信帯域幅より狭い場合にはＲＳ測定帯域幅をユーザ装置に送信するステップとを含んでいる。
【００１８】
本発明の第２の態様によって、ＯＦＤＭシステムにおける基準信号すなわちＲＳの測定のための方法が提供される。ここで、本システムは、定義されたシステム帯域幅上でユーザ装置に送信するように構成された無線基地局を備えている。本方法は、ＲＳ測定帯域幅がシステム帯域幅より狭くなっている場合にユーザ装置によって行われる、セルについてのＲＳ測定帯域幅を受信するステップと、受信されたＲＳ測定帯域幅とユーザ装置の能力とによって判定された帯域幅においてセルのＲＳを測定するステップとを含んでいる。
【００１９】
本発明の第３の態様によって、ＯＦＤＭシステムのための無線基地局が提供される。無線基地局は、定義されたシステム帯域幅上でユーザ装置に送信するように構成されており、ＲＳ送信帯域幅がシステム帯域幅より狭くなっている場合にセルについてのＲＳ送信帯域幅をリトリーブするためのリトリーブユニットを備えている。また無線基地局は、ＲＳ送信帯域幅に基づいてセルのためのＲＳ測定帯域幅を判定するための判定ユニットと、ユーザ装置がセルのＲＳを測定することを目的として、ＲＳ測定帯域幅がＲＳ送信帯域幅より狭くなっている場合にＲＳ測定帯域幅をユーザ装置に送信するための送信機とを備えている。
【００２０】
本発明の第４の態様によって、ＯＦＤＭシステムのためのユーザ装置が提供される。ここで本システムは、定義されたシステム帯域幅上でユーザ装置に送信するように構成された無線基地局を備えている。ユーザ装置は、ＲＳ測定帯域幅がシステム帯域幅より狭くなっている場合にセルについてのＲＳ測定帯域幅を受信するための受信機を備えている。またユーザ装置は、受信されたＲＳ測定帯域幅とユーザ装置の能力とによって判定された帯域幅でセルのＲＳを測定するための測定ユニットを備えている。
【発明の効果】
【００２１】
本発明の実施形態の利点は、ＲＳ帯域幅の柔軟な構成によって、より高度な干渉調整を行うことが可能になり、その結果、干渉が軽減されてＲＳ測定が改善されることである。
【００２２】
本発明の実施形態の別の利点は、本システムの一部だけにわたる測定によって、ＵＥの複雑性の軽減が可能になることである。
【００２３】
本発明の実施形態の別の利点は、ＬＩＳリソースの利用がより効率的になりうることである。測位サービス以外に、ＬＩＳの使用と、一部のサービスまたは特徴については場合によっては異なりうる基準信号の使用とを必要とする、ＬＴＥおよびその拡張部分の他のサービスまたは特徴も存在しうる。ＬＩＳの数を増加させることは、容量が浪費されるため、ネットワーク性能の観点から好ましくないことがある。また、標準の中に新たな特定の基準信号を定義することも、難しいことがある。従って、狭い帯域幅で測定の精度が十分なのであれば、同じサブフレームの中の残りの帯域幅を他の送信に割り当てる方が、効率が良い。
【００２４】
本発明の実施形態の別の利点は、柔軟な低干渉帯域幅という解決策のおかげでデータ送信がシステム帯域幅の一部の中だけに抑制されるため、依然として低干渉条件を提供するサブフレームにおけるデータ送信の抑制が可能でありながら、効率的なスペクトル利用が行われて容量の損失が低減されることである。
【００２５】
本発明の実施形態の別の利点は、それがもたらすシステムの柔軟性である。基準信号を送信しているすべてのネットワークコンポーネントが、必ずしも同じタイプというわけではない。例えば、ネットワークが、マクロおよびマイクロＲＢＳから成るマルチレイヤ構造を有してもよい。また、例えば、限定的なＲＢＳ機能性だけを持つ、他の補助（アシスト）デバイスも存在しうる。そのような多様なネットワークコンポーネントの場合、それらがすべて、同じ帯域上で送信できる保証はない。
【００２６】
本発明の実施形態の別の利点は、それらが、スペクトルの問題、例えば、基準信号の送信を低干渉のサブフレームにおける一定部分の帯域幅に限定することに対応するための手段を提供することである。３ＧＰＰ標準化会合において議論されてきたことだが、電力をブーストする可能性がある場合、そして、放射される電力の変動性の増加につながりうることだが、電力スペクトル密度に柔軟性がある場合、すべての電力放射要件（例えば、帯域外の電力放射の制限）を満たすことは難しくなりうる。本発明の実施形態の柔軟な帯域割り当てによって、より柔軟な構成が可能になり、それは同様の問題に取り組むのにも役立ちうる。
【００２７】
本発明の実施形態の利点は、セルのグループ化およびセルグループについての帯域幅割り当てにおける柔軟性に起因して、ＲＳのための干渉調整のための効率的な手段を提供するということである。割り当てられた帯域幅が十分な測定精度を提供するならば、同じサブフレーム内に複数のセルグループを多重化すると、周波数の高度な再利用で得られうる利得と同様の利得が得られる。最強の干渉物を多様なグループに割り当てると、その結果、測定値が著しく改善される。さらに、利得は、ＬＴＥへのＩＰＤＬの導入を避けるのに十分である可能性があり、それによって、含まれるネットワーク要素の設計が大幅に単純になるであろう。
【図面の簡単な説明】
【００２８】
【図１】本発明が実装されうる従来のＬＴＥシステムの一部を略示する図である。
【図２ａ】ＬＴＥにおける同期信号を略示する図である。
【図２ｂ】ＬＴＥにおける同期信号を略示する図である。
【図３ａ】多様な数のアンテナポートについてＬＴＥ時間・周波数リソースグリッドにおけるＣＲＳパターンを略示する図である。
【図３ｂ】多様な数のアンテナポートについてＬＴＥ時間・周波数リソースグリッドにおけるＣＲＳパターンを略示する図である。
【図３ｃ】多様な数のアンテナポートについてＬＴＥ時間・周波数リソースグリッドにおけるＣＲＳパターンを略示する図である。
【図３ｄ】多様な数のアンテナポートについてＬＴＥ時間・周波数リソースグリッドにおけるＣＲＳパターンを略示する図である。
【図４】すべてのＰＲＢにわたって繰り返されるＰＲＳパターンの例を使って低干渉サブフレームを略示する図である。
【図５】各セルについての１つのＰＲＢの周波数範囲と、３つの周波数再利用係数を持つＰＲＳ  ＲＥとを示す整列された低干渉サブフレームを略示する図である。
【図６】ＰＲＳを送信するための一定の帯域幅が各グループに割り当てられているような、セルのグループ化の一例を略示する図である。
【図７ａ】本発明の実施形態によるＲＢＳにおける方法のフローチャートである。
【図７ｂ】本発明の実施形態によるＲＢＳにおける方法のフローチャートである。
【図８ａ】本発明の実施形態によるＵＥにおける方法のフローチャートである。
【図８ｂ】本発明の実施形態によるＵＥにおける方法のフローチャートである。
【図９】本発明の実施形態によるＲＢＳおよびＵＥを略示する図である。
【発明を実施するための形態】
【００２９】
以下で、本発明について一定の実施形態と添付の図面とを参照しながら詳細に記述しよう。本発明の完全な理解を提供するため、限定ではなく説明を目的として、例えば具体的なシナリオや技術等の特定の詳細について述べる。しかし、本発明はこれらの特定の詳細から逸脱した他の実施形態においても実施されうることが、当業者には明らかであろう。
【００３０】
加えて、当業者であれば、本書で以下に説明する機能および手段が、プログラムされたマイクロプロセッサまたは汎用コンピュータに関連して機能するソフトウェアを用いて、および／またはＡＳＩＣ（特定用途向け集積回路）を用いて実装されうることを理解するであろう。また、理解されるであろうが、現行の発明は、主に方法およびデバイスの形で記述されているが、本発明は、コンピュータプログラムプロダクトとして、ならびに、本書で開示した機能を実行しうる１つ以上のプログラムを使ってメモリにコードが書き込まれていることを特徴とする、コンピュータプロセッサとプロセッサに連結されたメモリとを備えたシステムとしても実施されうる。
【００３１】
本発明は、本書では、特定の例示的なシナリオへの言及を通じて記述される。詳細には、本発明は、３ＧＰＰ  ＬＴＥシステム、およびＬＴＥにおける測位のためのＲＳ（基準信号）、すなわちＰＲＳ（測位基準信号）に関する限定しない一般的な文脈で記述される。しかし、留意されるべきだが、本発明およびその例示的な実施形態は、他のタイプのＯＦＤＭシステム、例えばＷｉＭａｘおよび将来のＬＴＥのリリースにも適用が可能であり、特定のタイプの基準信号には限定されない。従って、本発明およびその実施形態は、システム帯域幅のより狭い部分で信号を送信して、下りリンクで送信される基準信号またはパイロット信号を利用する機能を用いてＵＥの測定を円滑化する、他の無線アクセス技術にも関連し、かつ、ネットワークによって送信された基準信号の測定を行うすべてのワイヤレスデバイスにも関連する。
【００３２】
本発明では、ＲＳ送信パターンのためにシステム帯域幅全体を用いるという欠点が、ＲＳが送信される帯域幅の適合を可能にする解決策によって対応されるのだが、以下それを柔軟なＲＳ帯域幅と呼ぶ。所定のセルからのＲＳを測定する必要がある特定のＵＥのために、ＲＢＳが、そのセルに相当するＲＳ送信帯域幅をリトリーブするのだが、このＲＳ送信帯域幅は、システム帯域幅より狭くなっている。次いで、ＲＢＳが、ＲＳ送信帯域幅に基づいて（すなわちＲＳ送信帯域幅の範囲内で）ＲＳ測定帯域幅を決定ないしは判別し、ＵＥがＲＳを測定できるようにするため、それをＵＥに送信する。ＲＳ測定帯域幅が、ＲＳ送信帯域幅と同じである場合、すなわち、測定はＲＳ送信帯域幅全体にわたって行われるべきだとＲＢＳが判定する場合、ＲＳ送信帯域幅は常にＵＥにシグナリングされているのだから、ＵＥに対する測定帯域幅の明示的なシグナリングは必要ない。ＵＥが、ＲＢＳによって決定されたＲＳ測定帯域幅の指示より狭い帯域幅上での測定に限って可能である場合、ＵＥの能力は、さらにＲＳ測定帯域幅を制限してもよい。柔軟なＲＳ帯域幅という解決策は、一般に低干渉ＰＲＢにおいて送信して測定することを選択することによって、ＲＳのための送信帯域幅および測定帯域幅を、干渉を最小化する形で割り当てることを可能にする。柔軟なＲＳ帯域幅は、（同期ネットワーク内で）完全に整列されたサブフレームかまたは（非同期ネットワーク内で）部分的に整列されたサブフレームの中で下りリンクで送信されるＲＳに適用されてもよい。
【００３３】
柔軟なＲＳ帯域幅をサポートするには、上述したように、ＵＥが自分はどのＰＲＢで測定する必要があるのかについて確実に通知されることが必要である。デフォルト設定では、ＵＥが測定すべき帯域幅をネットワークによって命令されない限り、ＵＥは、ＲＳ測定帯域幅はＲＳ送信帯域幅の全体であると想定してもよい。一般に、ＲＳ送信帯域幅は、ＵＥが測定するように命令されるＲＳ測定帯域幅より広い。
【００３４】
上記のように、柔軟なＲＳ帯域幅という解決策は、システム帯域幅のより狭い部分でセルがＲＳを送信することを可能にする。ＲＳ送信帯域幅は、固定的に、半固定的に、または動的に設定することができる。本発明の第１の例示的な実施形態では、ＲＳ送信帯域幅が、システムの中で固定的に設定され、例えばネットワークオペレータによって決定されてもよい。より高度な解決策では、割り当ては、セル間での連携ないしは協調も必要となりうる無線リソース管理（ＲＲＭ）アルゴリズムによって決定することができる。本発明の第２の例示的な実施形態では、ＲＳ送信帯域幅が、隣接サイトとの協調なしに無線基地局の中のＲＲＭアルゴリズムに基づいて動的に設定される。ＲＢＳは、アルゴリズムの中で、例えば自分のセルの干渉状況を考慮してもよい。本発明の第３の実施形態では、ＲＳ送信帯域幅が、セル間協調を必要とするアルゴリズムに基づいて動的に設定される。次いで、ＲＢＳは、例えばＬＴＥにおけるｅノードＢ間のＸ２インタフェースを介して、隣接ＲＢＳと協調してもよい。本発明の第４の実施形態では、ＲＳ送信帯域幅が、ＲＢＳに接続された制御ノードによって判定され、その結果、ＲＢＳは、ＲＳ送信帯域幅を制御ノードからリトリーブする必要が生じる。制御ノードは、例えば、ＬＴＥにおけるｅＳＭＬＣであってもよいだろう。
【００３５】
柔軟なＲＳ帯域幅を設定する場合、異なるセルグループに対して異なるＲＳ帯域幅を設定することが可能である。従って、セルは、グループに関連付られているＰＲＢにおいてのみ、ＲＳを送信するように構成される。図６に一例を示すが、ここでは５つのグループが想定されており、各グループには、他のグループのＰＲＢと重ならない連続した５つのＰＲＢが割り当てられており、（合計で５ＭＨｚのシステム帯域幅について）合計２５ＰＲＢである。例では、各グループに、システム帯域幅の連続的な部分が割り当てられ、そして、その割り当てられた帯域幅は、グループ間で重なり合わないようになっているが、その２つのうちのいずれも、本概念を限定するものではない。特殊な事例では、各グループが単一のセルで構成されていてもよい。別の特殊な事例では、すべてのセルが同一グループ内にあり、システム帯域幅の合計よりも狭い帯域幅がそのグループに割り当てられる。一般に、帯域幅全体が割り当てられることは必要ではなく、また、すべてのセルまたはセルグループが、同じサブフレームの中に割り当てられたＰＲＢを有することも必要ではない。本発明の一実施形態では、セル（またはセルグループ）に、連続したＰＲＢ（すなわち、帯域幅の連続的な部分）が割り当てられる。これは、ＵＥの複雑性を軽減するのに望ましい。
【００３６】
本発明の一実施形態では、ＲＳ送信帯域幅は、セル内のすべてのＵＥについて同じであり、すなわち、セル固有である。代替的実施形態では、ＲＳ送信帯域幅は、ＵＥ固有である。ＵＥ固有のＲＳ測定帯域幅は、セルの境界線に近い２つのＵＥがセルの対向側にあるようなセルの場合に有利でありうる。ネットワークのこれらの部分では、最も干渉が強いセルは同じではないことがあり、それは、これらのＵＥにＲＳ送信帯域幅の別の部分でＲＳを測定させる方が良いであろうということを意味する。
【００３７】
ＵＥ固有のＲＳ測定帯域幅は、上記のように、ネットワークの中で、例えば干渉の統計値に基づいて決定され、ＵＥに送信されてもよいだろう。あるいは、ＵＥによって、ネットワークに透過的に決定されてもよいだろう。従ってＵＥは、ネットワークによって送信されたＲＳ測定帯域幅を使うか、あるいは自分で判定したＲＳ測定帯域幅を使うかを決定するであろう。ＵＥは、例えば、ＰＲＢ毎のＳＩＮＲについての情報に基づいてＲＳ測定帯域幅を判定してもよい。ＵＥが測定帯域幅を再検討すべきかどうかをＵＥが決定するためのトリガは、ＲＢＳがＲＳ測定帯域幅をまったく送信しないということであってもよいだろう。
【００３８】
本発明の一実施形態では、セルについてのＲＳ測定帯域幅が、それを補助データの中に含めることによってＵＥに送信される。補助データは、従来、どのセルを測定すべきかをＵＥに認識させることを目的として、隣接セルのセルＩＤを送信するためにＲＢＳによって用いられている。ＲＳ測定帯域幅は、例えば、（ＢＷ＿ｆｉｒｓｔ，ＢＷ＿ｌｅｎｇｔｈ）の形式で与えられてもよいだろうし、ここで、ＢＷ＿ｆｉｒｓｔは、ＲＳ測定帯域幅の最初のＰＲＢの指標であり、ＢＷ＿ｌｅｎｇｔｈは、ＰＲＢの数の点から見たその長さである。別の選択肢は、（ＢＷ＿０、ＢＷ＿ｏｆｆｓｅｔ）の形式を用いることであり、ここでＢＷ＿０は、帯域幅の中心であり、ＢＷ＿ｏｆｆｓｅｔは、実際のＲＳ測定帯域幅の半分である。この形式の利点は、第２のパラメータの最大値がＢＷ＿ｌｅｎｇｔｈパラメータの半分のサイズになるため、結果として、メッセージが短くなるということである。
【００３９】
ＲＳ測定帯域幅（およびＲＳ送信帯域幅）を送信する別の可能性は、セルＩＤへ関係づけられたビットマップを、補助データを介して送信することである。ビットマップは、当該ビットマップに関係付けられたセルに対応しているＲＳ送信／測定帯域幅を暗示的に示す。次いで、これらのビットマップが、ＵＥによって記憶されてもよく、そしてＵＥは、ＲＳ送信／測定帯域幅を、測定される必要があるセルのＩＤに基づいてリトリーブ（取得）することができる。ＲＳ測定帯域幅が動的に変化しない場合、すなわち、セルＩＤと帯域幅との間の一意的なマッピングを伴って変化しない場合、この解決策によってビットマップを低めの周波数で送信し、例えばＵＥからの要求があった場合に限って、または、ネットワークの変化があった時点で、再送信されるようにすることが可能になるであろう。
【００４０】
ＬＴＥでは、ＵＥに対するＲＳ送信および測定帯域幅のシグナリングは、高位レイヤによって構成され、ＲＲＣ（無線リソース制御：Ｒａｄｉｏ  Ｒｅｓｏｕｒｃｅ  Ｃｏｎｔｒｏｌ）プロトコルまたはＬＰＰ（ＬＴＥ測位プロトコル：ＬＴＥ  Ｐｏｓｉｔｉｏｎｉｎｇ  Ｐｒｏｔｏｃｏｌ）上で実行することができ、シグナリングのソースは、ＲＳ測定帯域幅についての決定がどこで行われるかによって、ＲＢＳ（ｅノードＢ）またはｅＳＭＬＣ（この場合、ｅノードＢを介して透過的にシグナリングされる）であってもよい。シグナリングは、例えばシステム情報の一部としてブロードキャストされてもよいし、専用のシグナリングであってもよい。専用のシグナリングは、ＲＳ送信帯域幅が固定的に構成され、かつ、すべてのセルについて同じである場合、例えばＲＳがすべてのセルにおいてＤＣ搬送波で５ＭＨｚを中心に送信されるように構成されている１０ＭＨｚシステムにおいて、ネットワーク全体について同じであってもよい。また、シグナリングは、ＲＳ送信帯域幅がセル毎に異なる場合、セル固有であってもよい。
【００４１】
場合によっては、ＵＥは、ＵＥ＿ｍｅａｓｕｒｅｍｅｎｔ＿ｂａｎｄｗｉｄｔｈ＝ｍｉｎ（ｓｙｓｔｅｍ＿ｂａｎｄｗｉｄｔｈ，ＲＢＳ＿ｍｅａｓｕｒｅｍｅｎｔ＿ｂａｎｄｗｉｄｔｈ，ＵＥ＿ｃａｐａｂｉｌｉｔｙ＿ｂａｎｄｗｉｄｔｈ）という規則に従ってＲＳ測定帯域幅を再計算しなければならないが、ここで、ｓｙｓｔｅｍ＿ｂａｎｄｗｉｄｔｈは、ＵＥが測定しているセルに適用可能なシステム帯域幅であり、ＲＢＳ＿ｍｅａｓｕｒｅｍｅｎｔ＿ｂａｎｄｗｉｄｔｈは、測定を行うようにＵＥに対して指示されたすべてのＰＲＢの合計であり、ＵＥ＿ｃａｐａｂｉｌｉｔｙ＿ｂａｎｄｗｉｄｔｈは、ＵＥが測定することができる帯域幅である。これは、例えば、マイクロセルについてのシステム帯域幅はマクロセルについてのものより狭いであろうから、マクロおよびマイクロセルレイヤを持つネットワークがそれに該当しうる。別の場合では、ＵＥは、指定された測定帯域幅を中心周波数の周りに対称的に適用してもよい。
【００４２】
本発明の別の実施形態では、サブフレーム内のデータ送信を、ＬＩＳの場合のように帯域幅全体にわたってではなく、帯域幅の設定可能な部分にわたって抑制する機能を導入することによって、干渉状況が、さらに改善される。この解決策を、以下、柔軟な低干渉帯域幅（ＬＩＢ）と呼ぶ。データは、例えば、ＲＳが送信または測定される帯域幅の部分に限って抑制されてもよい。ＲＳ送信帯域幅およびＬＩＢは、一般に、別箇に、かつ、相互に無関係に構成することができ、必ずしも一致しない。既存のＬＩＳ定義は、ＬＩＢが帯域幅全体に等しい、特殊な場合である。また、別の特殊な場合では、ＬＩＢがＲＳ測定帯域幅と一致することもある。柔軟なＬＩＢの１つの利点は、データ送信がシステム帯域幅の一部だけに抑制されるため、スペクトル利用が効率化され、容量損失が最小化されることである。
【００４３】
ＬＩＢは、ＲＳ測定を改善するために、一部のＰＲＢに関する干渉を削減することを目的としている。ＲＢＳがＲＳ測定帯域幅を判定する場合、ＲＢＳは、ＵＥが低干渉条件において測定するために、ＵＥの在圏セルのＬＩＢおよび隣接セルのＬＩＢを考慮に入れる。
【００４４】
柔軟なＲＳ設定と同様に、ＬＩＢ設定は、固定的に、半固定的に、または動的に設定することができ、例えば、ネットワークオペレータまたはＲＲＭアルゴリズムによって、かつ、隣接ＲＢＳと協調しながら動的に、決定することができる。また、ＬＩＢ設定を判定するのは、制御ノードであってもよい。しかし、ＬＩＢは、ＵＥにおいて既知である必要はなく、従って、実際のＬＩＢがＵＥに送信される必要はない。ＵＥに送信されたＲＳ測定帯域幅は、すでにＬＩＢを考慮に入れているであろう。一例では、ＵＥに送信されたＲＳ測定帯域幅は、ＬＩＢの範囲内のＰＲＢだけを含んでいてもよい。
【００４５】
本発明の例示的な一実施形態では、ＲＳ測定帯域幅の判定は、ＲＢＳの中ですでに利用可能であって他の目的にも用いられる可能性がある、干渉の統計値にも基づく。
【００４６】
本発明の一実施形態では、基準信号は、ＬＴＥシステムにおけるＰＲＳである。場合によっては柔軟なＬＩＢと共に、柔軟なＰＲＳ送信帯域幅を用いることによって、測位のために用いられるＰＲＳの測定が、干渉の軽減を通じて大幅に改善し、それによって正確な測位サービスが可能になるであろう。同時に、帯域幅の柔軟な構成によって、最小限のスペクトル利用による正確な測位を提供することが可能になるであろう。
【００４７】
図７ａは、本発明の一実施形態によるＲＢＳにおける方法のフローチャートである。これには以下のステップが含まれる。
【００４８】
−７１０  測定されることになるセルについて、システム帯域幅より狭いＲＳ送信帯域幅をリトリーブする。ＲＳ送信帯域幅は、ＲＢＳにおいて固定的に設定されるか、または、隣接ＲＢＳとの協調も必要とする、ＲＢＳにおけるＲＲＭアリゴリズムによって動的に設定されるかのいずれかである。また、ＲＳ送信帯域幅は、接続された制御ネットワークノード、例えばＬＴＥにおけるｅＳＭＬＣからリトリーブされてもよい。
【００４９】
−７２０  リトリーブされたＲＳ送信帯域幅に基づいてＲＳ測定帯域幅を判定する。ＲＳ測定帯域幅は、ＲＳ送信帯域幅より狭くてもよく、ＲＳ送信帯域幅の低干渉部分に割り当てられてもよい。例えばデフォルトでは、ＲＳ測定帯域幅は、ＲＳ送信帯域幅と等しくてもよい。ＲＳ測定帯域幅は、セル固有またはＵＥ固有であってもよい。
【００５０】
−７３０  ＲＳを測定する場所をＵＥが知るために、ＲＳ測定帯域幅をＵＥに送信する。デフォルトはＲＳ送信帯域幅を測定することであるため、これはＲＳ測定帯域幅がＲＳ送信帯域幅と異なる場合に限って必要である。ＲＳ測定帯域幅のシグナリングは、例えばＵＥに送信される補助データを介して行われてもよい。
【００５１】
図７ｂは、本発明の別の実施形態によるＲＢＳにおける方法のフローチャートである。方法は、上記の図７ａに示すステップを含んでいて、その前にサブフレームのいわゆるＬＩＢでのデータ送信を抑制する新たなステップ７００が先行しているが、ここでＬＩＢはシステム帯域幅より狭い。この実施形態では、ＲＳ測定帯域幅を判定するステップ７２０は、ＲＳ送信帯域幅だけでなく、現行セルおよび隣接セルのＬＩＢにも基づいている。その目的は、例えば測位のためにＲＳを測定する場合、干渉を軽減することを可能にすることである。
【００５２】
図８ａは、本発明の一実施形態によるＵＥにおける方法のフローチャートである。本方法は、以下のステップを含む。
【００５３】
−８１０  セルについてのＲＳ測定帯域幅を受信する。この場合、ＲＳ測定帯域幅は、システム帯域幅より狭い。
【００５４】
−８２０  受信されたＲＳ測定帯域幅とＵＥの能力とによって判定された帯域幅で、ＲＳを測定する。ＲＳ測定帯域幅が１５ＭＨｚであることを示し、かつ、ＵＥの能力では１０ＭＨｚの帯域幅上で測定することしかできない場合、ＲＢＳによってシグナリングされたＲＳ測定帯域幅は使えない。従ってＵＥは、測定帯域幅を測定可能なものに適合させなければならない。
【００５５】
図８ｂは、本発明の別の実施形態によるＵＥにおける方法のフローチャートである。方法は、セルについてのＲＳ測定帯域幅をセルＩＤと共に、例えばビットマップの中に記憶する、別のステップ８１５を含んでいる。次いでＵＥは、対応するセルについてＲＳを測定する必要がある場合、セルＩＤに基づいて記憶されたビットマップからＲＳ測定帯域幅をリトリーブする。
【００５６】
図９に、本発明の実施形態によるＲＢＳ９００を略示する。これは、固定的または動的に設定され、かつ、ＲＢＳ自身からかＲＢＳに接続された制御ネットワークノードからかいずれかからリトリーブされるＲＳ送信帯域幅をリトリーブするための、リトリーブユニット９０１を備えている。また、ＲＢＳ９００は、リトリーブされたＲＳ送信帯域幅に基づいてＲＳ測定帯域幅を判定するための判定ユニット９０２と、ＲＳ測定帯域幅がＲＳ送信帯域幅を異なる場合に、例えば補助データを介して、ＲＳ測定帯域幅をＵＥに送信するための送信機９０３とを備えている。また、一実施形態では、ＲＢＳは、システム帯域幅より狭いＬＩＢでのサブフレームにおけるデータ送信を抑制するためのデータ抑制ユニット９０４を備えている。この実施形態では、判定ユニット９０２は、在圏セルまたは隣接セルのＬＩＢにも基づいてＲＳ測定帯域幅を判定するように構成される。
【００５７】
また、図９には、本発明の実施形態によるＵＥ９５０も示す。ＵＥ９５０は、例えばＲＢＳからの補助データの中で、ＲＳ測定帯域幅を受信するための受信機９５１と、受信されたＲＳ測定帯域幅およびＵＥの能力によって判定される帯域幅でＲＳを測定するための測定ユニットとを備えている。
【００５８】
また、本発明の一実施形態では、ＵＥ９５０は、必要に応じてＵＥがＲＳ測定帯域幅をリトリーブすることができるようにするため、セルＩＤと共にＲＳ測定帯域幅を記憶するための記憶ユニットを備えている。
【００５９】
上記で言及して記述した諸実施形態は、例として挙げただけであって、本発明を限定するべきではない。添付の特許請求項の中で請求された本発明の範囲内にある他の解決策、用途、目的、機能が、当業者には明らかであるはずである。
【００６０】
略語集
３ＧＰＰ  第三世代パートナシッププロジェクト（３ｒｄ  Ｇｅｎｅｒａｔｉｏｎ  Ｐａｒｔｎｅｒｓｈｉｐ  Ｐｒｏｊｅｃｔ）
Ａ−ＧＰＳ  （Ａｓｓｉｓｔｅｄ  ＧＰＳ）
ＢＳ  基地局（Ｂａｓｅ  Ｓｔａｔｉｏｎ）
ＣＲＳ  セル固有基準信号（Ｃｅｌｌ−ｓｐｅｃｉｆｉｃ  Ｒｅｆｅｒｅｎｃｅ  Ｓｉｇｎａｌ）
ｅＮｏｄｅＢ  ｅノードＢ（ｅｖｏｌｖｅｄ  Ｎｏｄｅ  Ｂ）
ｅＳＭＬＣ  （ｅｖｏｌｖｅｄ  ＳＭＬＣ）
ＧＰＳ  全世界測位システム（Ｇｌｏｂａｌ  Ｐｏｓｉｔｉｏｎｉｎｇ  Ｓｙｓｔｅｍ）
ＧＳＭ（登録商標）  （Ｇｌｏｂａｌ  Ｓｙｓｔｅｍ  ｆｏｒ  Ｍｏｂｉｌｅ  ｃｏｍｍｕｎｉｃａｔｉｏｎｓ）
ＩＰＤＬ  アイドル期間の下りリンク（Ｉｄｌｅ  Ｐｅｒｉｏｄ  Ｄｏｗｎｌｉｎｋ）
ＬＩＢ  低干渉帯域幅（Ｌｏｗ−Ｉｎｔｅｒｆｅｒｅｎｃｅ  Ｂａｎｄｗｉｄｔｈ）
ＬＩＳ  低干渉サブフレーム（Ｌｏｗ−Ｉｎｔｅｒｆｅｒｅｎｃｅ  Ｓｕｂｆｒａｍｅ）
ＬＰＰ  ＬＴＥ測位プロトコル（ＬＴＥ  Ｐｏｓｉｔｉｏｎｉｎｇ  Ｐｒｏｔｏｃｏｌ）
ＬＴＥ  （Ｌｏｎｇ−Ｔｅｒｍ  Ｅｖｏｌｕｔｉｏｎ）
ＭＡＣ  メディアアクセス制御（Ｍｅｄｉｕｍ  Ａｃｃｅｓｓ  Ｃｏｎｔｒｏｌ）
ＭＢＳＦＮ  マルチキャスト・ブロードキャスト単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）
ＭＢＭＳ  マルチメディア・ブロードキャスト・マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ）
ＯＦＤＭ  直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）
ＯＴＤ  時間差の測定値（Ｏｂｓｅｒｖｅｄ  Ｔｉｍｅ  Ｄｉｆｆｅｒｅｎｃｅ）
ＯＴＤＯＡ  到着の時間差の測定値（Ｏｂｓｅｒｖｅｄ  Ｔｉｍｅ  Ｄｉｆｆｅｒｅｎｃｅ  ｏｆ  Ａｒｒｉｖａｌ）
ＰＤＳＣＨ  物理下り共用チャネル（Ｐｈｙｓｉｃａｌ  Ｄｏｗｎｌｉｎｋ  Ｓｈａｒｅｄ  Ｃｈａｎｎｅｌ）
ＰＲＢ  物理リソースブロック（Ｐｈｙｓｉｃａｌ  Ｒｅｓｏｕｒｃｅ  Ｂｌｏｃｋ）
ＰＲＳ  測位基準信号（Ｐｏｓｉｔｉｏｎｉｎｇ  Ｒｅｆｅｒｅｎｃｅ  Ｓｉｇｎａｌ）
ＰＳＳ  優先同期信号（Ｐｒｉｍａｒｙ  ＳＳ）
ＲＥ  リソースエレメント（Ｒｅｓｏｕｒｃｅ  Ｅｌｅｍｅｎｔ）
ＲＲＭ  無線リソース管理（Ｒａｄｉｏ  Ｒｅｓｏｕｒｃｅ  Ｍａｎａｇｅｍｅｎｔ）
ＲＳ  基準信号（Ｒｅｆｅｒｅｎｃｅ  Ｓｉｇｎａｌ）
ＳＩＮＲ  信号対干渉雑音電力比（Ｓｉｇｎａｌ−ｔｏ−Ｉｎｔｅｒｆｅｒｅｎｃｅ  Ｎｏｉｓｅ  Ｒａｔｉｏ）
ＳＭＬＣ  在圏移動位置センタ（Ｓｅｒｖｉｎｇ  Ｍｏｂｉｌｅ  Ｌｏｃａｔｉｏｎ  Ｃｅｎｔｅｒ）
ＳＳ  同期信号（Ｓｙｎｃｈｒｏｎｉｚａｔｉｏｎ  Ｓｉｇｎａｌ）
ＳＳＳ  セカンダリ同期信号（Ｓｅｃｏｎｄａｒｙ  ＳＳ）
ＴＤＯＡ  到着の時間差（Ｔｉｍｅ  Ｄｉｆｆｅｒｅｎｃｅ  ｏｆ  Ａｒｒｉｖａｌ）
ＵＥ  ユーザ装置（Ｕｓｅｒ  Ｅｑｕｉｐｍｅｎｔ）
ＵＭＴＳ  汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）
【図１】
2014060771.tif 000003
【図２ａ】
2014060771.tif 000004
【図２ｂ】
2014060771.tif 000005
【図３ａ】
2014060771.tif 000006
【図３ｂ】
2014060771.tif 000007
【図３ｃ】
2014060771.tif 000008
【図３ｄ】
2014060771.tif 000009
【図４】
2014060771.tif 000010
【図５】
2014060771.tif 000011
【図６】
2014060771.tif 000012
【図７ａ】
2014060771.tif 000013
【図７ｂ】
2014060771.tif 000014
【図８ａ】
2014060771.tif 000015
【図８ｂ】
2014060771.tif 000016
【図９】
2014060771.tif 000017
【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
所定のシステム帯域幅でユーザ装置に送信を実行する無線基地局を備えたＯＦＤＭシステムにおいて基準信号（ＲＳ）を測定することを容易にする方法であって、前記無線基地局によって実行されるステップとして、
前記ユーザ装置が在圏しているセルについての第１の低干渉帯域幅を取得するステップであって、当該第１の低干渉帯域幅は前記システム帯域幅よりも狭く、前記第１の低干渉帯域幅におけるサブフレームでのデータの送信が抑制されている、ステップと、
前記システム帯域幅よりも狭い、前記セルについての基準信号（ＲＳ）送信帯域幅をリトリーブするステップと、
前記基準信号（ＲＳ）送信帯域幅と、前記第１の低干渉帯域幅と、隣接セルについての第２の低干渉帯域幅とに基づいて基準信号（ＲＳ）測定帯域幅を決定するステップと、
前記基準信号（ＲＳ）測定帯域幅が前記基準信号（ＲＳ）送信帯域幅よりも狭いときに、前記セルについての前記基準信号（ＲＳ）を前記ユーザ装置が測定できるようにするために、前記基準信号（ＲＳ）測定帯域幅で前記ユーザ装置に送信を実行するステップと、
前記ユーザ装置が在圏している前記セルについての第１の低干渉帯域幅であって、前記システム帯域幅よりも狭い当該第１の低干渉帯域幅を介してサブフレームでのデータの送信を抑制するステップと
を有し、
前記基準信号（ＲＳ）測定帯域幅の決定は、前記第１の低干渉帯域幅と、前記隣接セルについての前記第２の低干渉帯域幅とさらに基づいて実行されることを特徴とする方法。
【請求項２】
前記第１の低干渉帯域幅と前記第２の低干渉帯域幅とは、前記無線基地局において固定的に設定されることを特徴とする請求項１に記載の方法。
【請求項３】
前記第１の低干渉帯域幅と前記第２の低干渉帯域幅とは、前記無線基地局において第２のアルゴリズムに基づいて動的に設定されることを特徴とする請求項１に記載の方法。
【請求項４】
前記第１の低干渉帯域幅と前記第２の低干渉帯域幅とは、隣接した無線基地局との協調に基づいて動的に設定されることを特徴とする請求項１に記載の方法。
【請求項５】
前記第１の低干渉帯域幅と前記第２の低干渉帯域幅とは、前記無線基地局が接続している制御ネットワークノードからリトリーブされることを特徴とする請求項１に記載の方法。
【請求項６】
前記第１の低干渉帯域幅と前記第２の低干渉帯域幅とは、前記システム帯域幅における連続した部分に対応していることを特徴とする請求項１ないし５のいずれか１項に記載の方法。
【請求項７】
ＯＦＤＭシステムにおいて所定のシステム帯域幅でユーザ装置に送信を実行する無線基地局であって、
前記システム帯域幅よりも狭い、セルについての基準信号（ＲＳ）送信帯域幅をリトリーブするリトリーブユニット、
前記基準信号（ＲＳ）送信帯域幅と、前記第１の低干渉帯域幅と、隣接セルについての第２の低干渉帯域幅とに基づいて基準信号（ＲＳ）測定帯域幅を決定する決定ユニットと、
前記基準信号（ＲＳ）測定帯域幅が前記基準信号（ＲＳ）送信帯域幅よりも狭いときに、前記セルについての前記基準信号（ＲＳ）を前記ユーザ装置が測定できるようにするために、前記基準信号（ＲＳ）測定帯域幅で前記ユーザ装置に送信を実行する送信機と、
前記ユーザ装置が在圏している前記セルについての第１の低干渉帯域幅であって、前記システム帯域幅よりも狭い当該第１の低干渉帯域幅を介してサブフレームでのデータの送信を抑制するデータ抑制ユニットと
を有し、
前記決定ユニットは、前記第１の低干渉帯域幅と、前記隣接セルについての前記第２の低干渉帯域幅とさらに基づいて前記基準信号（ＲＳ）測定帯域幅を決定するように構成されていることを特徴とする無線基地局。
【請求項８】
前記第１の低干渉帯域幅と前記第２の低干渉帯域幅とは、前記無線基地局において固定的に設定されることを特徴とする請求項７に記載の無線基地局。
【請求項９】
前記第１の低干渉帯域幅と前記第２の低干渉帯域幅とは、前記無線基地局において第２のアルゴリズムに基づいて動的に設定されることを特徴とする請求項７に記載の無線基地局。
【請求項１０】
前記第１の低干渉帯域幅と前記第２の低干渉帯域幅とは、隣接した無線基地局との協調に基づいて動的に設定されることを特徴とする請求項７に記載の無線基地局。
【請求項１１】
前記リトリーブユニットは、前記第１の低干渉帯域幅と前記第２の低干渉帯域幅とを、前記無線基地局が接続している制御ネットワークノードからリトリーブすることを特徴とする請求項７に記載の無線基地局。
【請求項１２】
前記第１の低干渉帯域幅と前記第２の低干渉帯域幅とは、前記システム帯域幅における連続した部分に対応していることを特徴とする請求項７ないし１１のいずれか１項に記載の無線基地局。
【外国語明細書】
2014060771000001.pdf